(57)【特許請求の範囲】
【請求項１】
商品精算ゲート装置とＩＤ認証チェック・商品精算装置と店舗の構内カード管理部署パソコンと商品ＩＤ付加装置とカード管理センタとクレジット会社とを通信回線を介して商品情報を送受する構成において、
商品購入時に利用者の使用するクレジットカードのカードＩＤによる本人認証の他に利用者の個人ＩＤによる本人認証を行う本人認証機能を有する個人認証用装置を具備し、前記商品精算ゲート装置は、前記クレジットカードのカードＩＤに対してカードＩＤ送出要求を送信する機能と、前記利用者の個人ＩＤに対して個人ＩＤ送出要求を送信する機能とを備え、前記クレジットカードのカードＩＤは、前記商品精算ゲート装置からの前記カードＩＤ送出要求に応答してカードＩＤを前記商品精算ゲート装置に返送する機能を備え、前記利用者の個人ＩＤは、前記商品精算ゲート装置からの前記個人ＩＤ送出要求に応答して個人ＩＤを前記商品精算ゲート装置に返送する機能を備えたことを特徴とするカード二重認証システム。
【請求項２】
利用者が店舗を利用する場合に、利用者の使用するクレジットカードのカードＩＤと利用者の個人ＩＤを店舗の構内カード管理部署及びカード管理センタの顧客データベースに登録する機能を備えている請求項１に記載のカード二重認証システム。
【請求項３】
商品ＩＤ付加装置は商品に商品ＩＤを付加する機能を備え、店舗側では商品情報と商品の商品ＩＤを商品ＩＤ付加装置のデータベースに登録する機能を備えている請求項１に記載のカード二重認証システム。
【請求項４】
商品精算ゲート装置は商品購入時に利用者の使用するクレジットカードのカードＩＤと利用者の個人ＩＤと商品に付加した商品ＩＤを読取り、ＩＤ認証チェック・商品精算装置に送信する機能を備えている請求項１乃至３に記載のカード二重認証システム。
【請求項５】
ＩＤ認証チェック・商品精算装置はクレジットカードのカードＩＤと利用者の個人ＩＤを受信すると、クレジットカードの本人使用であることを認証する機能を備えている請求項４に記載のカード二重認証システム。
【請求項６】
ＩＤ認証チェック・商品精算装置はクレジットカードの本人使用であることを認証した後、受信した商品ＩＤに対応する商品情報をデータベースから読取って精算する機能を備えている請求項１乃至５に記載のカード二重認証システム。
【請求項７】
商品精算ゲート装置は開閉自在のゲートを備え、クレジットカードの本人使用でないことを認証した後、ゲートを閉じて警報を発する機能を備えている請求項１乃至６に記載のカード二重認証システム。
【請求項８】
商品精算ゲート装置は利用者からの領収書発行要求がある場合に、領収書を発行する機能と、利用者からの領収書発行要求がない場合に、売上げレシートを発行する機能を備えている請求項１乃至７に記載のカード二重認証システム。
【請求項９】
店舗の構内カード管理部署とカード管理センタとクレジット会社とはクレジットカード不正使用防止のためのブラックリストデータを送受信する契約を結び、カード管理センタはクレジット会社から通信回線を介してブラックリストデータを受信すると共に、カード管理センタから通信回線を介して店舗の構内カード管理部署及び必要に応じてＩＤ認証チェック・商品精算装置にブラックリストデータを送信する機能を備えている請求項１乃至８に記載のカード二重認証システム。
【請求項１０】
利用者による商品購入時に、商品精算ゲート装置が読取ったクレジットカードのカードＩＤとＩＤ認証チェック・商品精算装置のブラックリストデータを照合する機能を備えている請求項１乃至９に記載のカード二重認証システム。
【請求項１１】
商品精算ゲート装置が読取ったクレジットカードのカードＩＤとＩＤ認証チェック・商品精算装置または店舗の構内カード管理部署のブラックリストデータとの照合が一致した場合に、クレジットカード不正使用による異常通報を出す機能を備えている請求項１０に記載のカード二重認証システム。
【請求項１２】
利用者による商品購入時に、商品精算ゲート装置がクレジットカードのカードＩＤと利用者の個人ＩＤを読取り、クレジットカードのカードＩＤを通信回線を介してクレジット会社に送信し、クレジットカードのカードＩＤの認証結果を受取る機能を備えている請求項１乃至１１に記載のカード二重認証システム。
【発明の詳細な説明】
【０００１】
【発明の属する技術分野】
本発明は、クレジットカードを二重に認証し、クレジットカードの不正使用を防止するカード二重認証システムに関するものである。
【０００２】
【従来の技術】
従来、スーパーマーケット，デパート等の店舗で使用できるクレジットカードを発行し、利用者がクレジットカードを使用して商品を購入する時に、まず、クレジットカードを店舗のレジに提示し、店舗のレジにてクレジットカード内の個人Ｎｏと金額を入力することにより、クレジットカード利用者の管理を行っていたが、店舗からクレジット会社にクレジットカード利用者が本人であるかを確認する手段が利用者のサインのみのため、クレジットカードを他人に不正使用されるおそれがあり、店舗のレジでの商品の精算が時間を要し、店舗のレジに多数の人員が必要となり、店舗のレジの人件費の削減が困難で、商品原価が高くなり、利用者が商品を安価な価格で購入することができず、利用者がクレジットカードを紛失した場合に、面倒な手続きをしなければならず、クレジットカードを安心して使用することができなかった。
【０００３】
【発明が解決しようとする課題】
本発明の目的は、上述する問題点に対処して、商品購入時に個人認証用装置が利用者の使用するクレジットカードのカードＩＤによる本人認証の他に利用者の個人ＩＤによる本人認証を行い、クレジットカードを二重に認証し、クレジットカードの不正使用を確実に防止し、商品精算ゲート装置での商品の精算が早くなり、商品精算ゲート装置の無人化を図れ、店舗の人件費を削減し、商品原価が安くなり、利用者が商品を安価な価格で購入でき、利用者がクレジットカードを紛失しても、面倒な手続きをしなくて済み、クレジットカードを安心して使用でき、利用者の個人ＩＤとクレジットカードのカードＩＤの管理に関する業務を代行するサービスを提供し、安価なコストで利用者の個人ＩＤとクレジットカードのカードＩＤの管理を行うことが可能なカード二重認証システムを提供することにある。
【０００４】
【課題を解決するための手段】
本発明のカード二重認証システムは、商品精算ゲート装置とＩＤ認証チェック・商品精算装置と店舗の構内カード管理部署パソコンと商品ＩＤ付加装置とカード管理センタとクレジット会社とを通信回線を介して商品情報を送受する構成において、商品購入時に利用者の使用するクレジットカードのカードＩＤによる本人認証の他に利用者の個人ＩＤによる本人認証を行う本人認証機能を有する個人認証用装置を具備し、前記商品精算ゲート装置は、前記クレジットカードのカードＩＤに対してカードＩＤ送出要求を送信する機能と、前記利用者の個人ＩＤに対して個人ＩＤ送出要求を送信する機能とを備え、前記クレジットカードのカードＩＤは、前記商品精算ゲート装置からの前記カードＩＤ送出要求に応答してカードＩＤを前記商品精算ゲート装置に返送する機能を備え、前記利用者の個人ＩＤは、前記商品精算ゲート装置からの前記個人ＩＤ送出要求に応答して個人ＩＤを前記商品精算ゲート装置に返送する機能を備えたことを特徴とする構成を有するものである。
【０００５】
本発明のカード二重認証システムは、利用者が店舗を利用する場合に、利用者の使用するクレジットカードのカードＩＤと利用者の個人ＩＤを店舗の構内カード管理部署及びカード管理センタの顧客データベースに登録する機能を備えている。
【０００６】
本発明のカード二重認証システムは、商品ＩＤ付加装置が商品に商品ＩＤを付加する機能を備え、店舗側では商品情報と商品の商品ＩＤを商品ＩＤ付加装置のデータベースに登録する機能を備えている。
【０００７】
本発明のカード二重認証システムは、商品精算ゲート装置が商品購入時に利用者の使用するクレジットカードのカードＩＤと利用者の個人ＩＤと商品に付加した商品ＩＤを読取り、ＩＤ認証チェック・商品精算装置に送信する機能を備えている。
【０００８】
本発明のカード二重認証システムは、ＩＤ認証チェック・商品精算装置がクレジットカードのカードＩＤと利用者の個人ＩＤを受信すると、クレジットカードの本人使用であることを認証する機能を備えている。
【０００９】
本発明のカード二重認証システムは、ＩＤ認証チェック・商品精算装置がクレジットカードの本人使用であることを認証した後、受信した商品ＩＤに対応する商品情報をデータベースから読取って精算する機能を備えている。
【００１０】
本発明のカード二重認証システムは、商品精算ゲート装置が開閉自在のゲートを備え、クレジットカードの本人使用でないことを認証した後、ゲートを閉じて警報を発する機能を備えている。
【００１１】
本発明のカード二重認証システムは、商品精算ゲート装置が利用者からの領収書発行要求がある場合に、領収書を発行する機能と、利用者からの領収書発行要求がない場合に、売上げレシートを発行する機能を備えている。
【００１２】
本発明のカード二重認証システムは、店舗の構内カード管理部署とカード管理センタとクレジット会社とがクレジットカード不正使用防止のためのブラックリストデータを送受信する契約を結び、カード管理センタがクレジット会社から通信回線を介してブラックリストデータを受信すると共に、カード管理センタから通信回線を介して店舗の構内カード管理部署及び必要に応じてＩＤ認証チェック・商品精算装置にブラックリストデータを送信する機能を備えている。
【００１３】
本発明のカード二重認証システムは、利用者による商品購入時に、商品精算ゲート装置が読取ったクレジットカードのカードＩＤとＩＤ認証チェック・商品精算装置のブラックリストデータを照合する機能を備えている。
【００１４】
本発明のカード二重認証システムは、商品精算ゲート装置が読取ったクレジットカードのカードＩＤとＩＤ認証チェック・商品精算装置または店舗の構内カード管理部署のブラックリストデータとの照合が一致した場合に、クレジットカード不正使用による異常通報を出す機能を備えている。
【００１５】
本発明のカード二重認証システムは、利用者による商品購入時に、商品精算ゲート装置がクレジットカードのカードＩＤと利用者の個人ＩＤを読取り、クレジットカードのカードＩＤを通信回線を介してクレジット会社に送信し、クレジットカードのカードＩＤの認証結果を受取る機能を備えている。
【００１６】
【発明の実施の形態】
以下、本発明の実施の形態を図面に基づいて詳細に説明する。
図１は本発明の実施の形態におけるカード二重認証システムを示す構成図である。
本発明のカード二重認証システム１は、図１に示すように、商品精算ゲート装置２とＩＤ認証チェック・商品精算装置３と店舗の構内カード管理部署４のパソコン２０と商品ＩＤ付加装置５とカード管理センタ６とクレジット会社７とを通信回線８を介して商品情報を送受するように接続され、商品購入時に利用者Ｐの使用するクレジットカードＣＣのカードＩＤ９による本人認証の他に利用者Ｐの個人ＩＤ１０による本人認証を行う本人認証機能を有する個人認証用装置１１を具備し、商品精算ゲート装置２が、クレジットカードＣＣのカードＩＤ９に対してカードＩＤ送出要求を送信する機能と、利用者Ｐの個人ＩＤ１０に対して個人ＩＤ送出要求を送信する機能とを備え、クレジットカードＣＣのカードＩＤ９が、商品精算ゲート装置２からのカードＩＤ送出要求に応答してカードＩＤを商品精算ゲート装置２に返送する機能を備え、利用者Ｐの個人ＩＤ１０が、商品精算ゲート装置２からの個人ＩＤ送出要求に応答して個人ＩＤを商品精算ゲート装置２に返送する機能を備えている。
【００１７】
本発明のカード二重認証システム１は、商品Ａに付加した商品ＩＤ１２による商品認証を行う商品認証用装置１３を備えている。
【００１８】
本発明のカード二重認証システム１の商品精算ゲート装置２は、図１に示すように、開閉自在のゲート１４と、領収書またはレシートを発行する領収書／レシート発行装置１５と、領収書／レシート発行装置１５を作動する領収書／レシート発行ボタン１６とを備えている。
【００１９】
本発明のカード二重認証システム１の商品精算ゲート装置２は利用者Ｐが使用するクレジットカードＣＣのカードＩＤ９と利用者Ｐの個人ＩＤ１０と商品Ａに付加した商品ＩＤ１２を読取るようになっている。
【００２０】
本発明のカード二重認証システム１のＩＤ認証チェック・商品精算装置３は、図１に示すように、パソコン（ＰＣ）１７と商品Ａの商品ＩＤ１２を格納するデータベース（ＤＢ）１８とブラックリストデータを登録するブラックリストデータベース（ＤＢ）１９とを有する。
【００２１】
本発明のカード二重認証システム１のＩＤ認証チェック・商品精算装置３はクレジットカードＣＣのカードＩＤ９と利用者Ｐの個人ＩＤ１０と商品Ａの商品ＩＤ１２をチェックして購入した商品Ａの精算を行うようになっている。
【００２２】
本発明のカード二重認証システム１の店舗の構内カード管理部署４は、図１に示すように、パソコン（ＰＣ）２０とクレジットカードＣＣのカードＩＤ９を登録するカードＩＤデータベース（ＤＢ）２１と利用者Ｐの個人ＩＤ１０を登録する個人ＩＤデータベース（ＤＢ）２２とブラックリストデータを登録するブラックリストデータベース（ＤＢ）２３とを有する。
【００２３】
本発明のカード二重認証システム１の店舗の構内カード管理部署４はクレジットカードＣＣのカードＩＤ９と利用者Ｐの個人ＩＤ１０と商品Ａの商品ＩＤ１２の登録更新を行うようになっている。
【００２４】
本発明のカード二重認証システム１の商品ＩＤ付加装置５は、図１に示すように、パソコン（ＰＣ）２４と商品情報を登録する商品情報データベース（ＤＢ）２５と商品Ａの商品ＩＤ１２を登録する商品ＩＤデータベース（ＤＢ）２６とを有する。
【００２５】
本発明のカード二重認証システム１の商品ＩＤ付加装置５は商品Ａに商品ＩＤ１２を付加するようになっている。
【００２６】
本発明のカード二重認証システム１のカード管理センタ６は、図１に示すように、パソコン（ＰＣ）２７と利用者Ｐの個人ＩＤ１０を登録する個人ＩＤデータベース（ＤＢ）２８と各クレジット会社７の各クレジット会社管理データを登録する各クレジット会社管理データベース（ＤＢ）２９とブラックリストデータを登録するブラックリストデータベース（ＤＢ）３０とを有する。
【００２７】
本発明のカード二重認証システム１のクレジット会社７は、図１に示すように、パソコン（ＰＣ）３１とブラックリストデータを登録するブラックリストデータベース（ＤＢ）３２とを有する。
【００２８】
図１において、９０は商品ＩＤ１２を付加した商品Ａを陳列するための店舗に設置された商品棚である。
【００２９】
本発明のカード二重認証システム１は、利用者Ｐが店舗を利用する場合に、利用者Ｐの使用するクレジットカードＣＣのカードＩＤ９と利用者Ｐの個人ＩＤ１０を店舗の構内カード管理部署４の顧客データベースとなるカードＩＤデータベース２１と個人ＩＤデータベース２２及びカード管理センタ６の個人ＩＤデータベース２８に登録する機能を備えている。
【００３０】
本発明のカード二重認証システム１は、商品ＩＤ付加装置５が商品Ａに商品ＩＤ１２を付加する機能を備え、店舗側では商品情報と商品Ａの商品ＩＤ１２を商品ＩＤ付加装置５の商品情報データベース２５と商品ＩＤデータベース２６に登録する機能を備えている。
【００３１】
本発明のカード二重認証システム１は、商品精算ゲート装置２が商品購入時に利用者Ｐの使用するクレジットカードＣＣのカードＩＤ９と利用者Ｐの個人ＩＤ１０と商品Ａに付加した商品ＩＤ１２を読取り、ＩＤ認証チェック・商品精算装置３に送信する機能を備えている。
【００３２】
本発明のカード二重認証システム１は、ＩＤ認証チェック・商品精算装置３がクレジットカードＣＣのカードＩＤ９と利用者Ｐの個人ＩＤ１０を受信すると、クレジットカードＣＣの本人使用であることを認証する機能を備えている。
【００３３】
本発明のカード二重認証システム１は、ＩＤ認証チェック・商品精算装置３がクレジットカードＣＣの本人使用であることを認証した後、受信した商品ＩＤ１２に対応する商品情報をデータベース１８から読取って精算する機能を備えている。
【００３４】
本発明のカード二重認証システム１は、商品精算ゲート装置２が開閉自在のゲート１４を備え、クレジットカードＣＣの本人使用でないことを認証した後、ゲート１４を閉じて警報を発する機能を備えている。
【００３５】
本発明のカード二重認証システム１は、商品精算ゲート装置２が利用者Ｐからの領収書発行要求がある場合に、領収書を発行する機能と、利用者Ｐからの領収書発行要求がない場合に、売上げレシートを発行する機能を備えている。
【００３６】
本発明のカード二重認証システム１は、店舗の構内カード管理部署４とカード管理センタ６とクレジット会社７とがクレジットカードＣＣの不正使用防止のためのブラックリストデータを送受信する契約を結び、カード管理センタ６がクレジット会社７から通信回線８を介してブラックリストデータを受信すると共に、カード管理センタ６から通信回線８を介して店舗の構内カード管理部署４及び必要に応じてＩＤ認証チェック・商品精算装置３にブラックリストデータを送信する機能を備えている。
【００３７】
本発明のカード二重認証システム１は、利用者Ｐによる商品購入時に、商品精算ゲート装置２が読取ったクレジットカードＣＣのカードＩＤ９とＩＤ認証チェック・商品精算装置３のブラックリストデータを照合する機能を備えている。
【００３８】
本発明のカード二重認証システム１は、商品精算ゲート装置２が読取ったクレジットカードＣＣのカードＩＤ９とＩＤ認証チェック・商品精算装置３または店舗の構内カード管理部署４のブラックリストデータとの照合が一致した場合に、クレジットカードＣＣの不正使用による異常通報を出す機能を備えている。
【００３９】
本発明のカード二重認証システム１は、利用者Ｐによる商品購入時に、商品精算ゲート装置２がクレジットカードＣＣのカードＩＤ９と利用者Ｐの個人ＩＤ１０を読取り、クレジットカードＣＣのカードＩＤ９を通信回線８を介してクレジット会社７に送信し、クレジットカードＣＣのカードＩＤ９の認証結果を受取る機能を備えている。
【００４０】
図２は本発明のカード二重認証システムの個人認証用装置の構成図である。
本発明のカード二重認証システム１の個人認証用装置１１は、図２に示すように、クレジットカードＣＣのカードＩＤ９を格納するカードＩＤ認証用装置３３と、カードＩＤ送出要求受信部３４と、カードＩＤ送信部３５と、利用者Ｐの個人ＩＤ１０を格納する個人ＩＤ認証用装置３６と、個人ＩＤ送出要求受信部３７と、個人ＩＤ送信部３８を有している。
【００４１】
カードＩＤ認証用装置３３には、図２に示すように、カードＩＤ送出要求受信部３４、カードＩＤ送信部３５がそれぞれ接続され、個人ＩＤ認証用装置３６には個人ＩＤ送出要求受信部３７、個人ＩＤ送信部３８がそれぞれ接続されている。
【００４２】
図３は本発明のカード二重認証システムの商品認証用装置の構成図である。
本発明のカード二重認証システム１の商品認証用装置１３は、図３に示すように、商品Ａの商品ＩＤ１２を格納する商品ＩＤ認証用装置３９と、商品ＩＤ送出要求受信部４０と、商品ＩＤ送信部４１を有している。
【００４３】
商品ＩＤ認証用装置３９には、図３に示すように、商品ＩＤ送出要求受信部４０、商品ＩＤ送信部４１がそれぞれ接続されている。
【００４４】
図４は本発明のカード二重認証システムの商品精算ゲート装置の構成図である。
本発明のカード二重認証システム１の商品精算ゲート装置２は、図４に示すように、個人ＩＤ送出要求送信部４２と、個人ＩＤ受信部４３と、カードＩＤ送出要求送信部４４と、カードＩＤ受信部４５と、商品ＩＤ送出要求送信部４６と、商品ＩＤ受信部４７と、表示部４８と、商品精算制御部４９と、レシート／領収書発行部５０と、ゲート開閉制御部５１と、警報発報制御部５２と、インタフェース部５３と、電源制御部５４を有している。
【００４５】
商品精算ゲート装置２の電源制御部５４には、図４に示すように、個人ＩＤ送出要求送信部４２、個人ＩＤ受信部４３、カードＩＤ送出要求送信部４４、カードＩＤ受信部４５、商品ＩＤ送出要求送信部４６、商品ＩＤ受信部４７、表示部４８、商品精算制御部４９、レシート／領収書発行部５０、ゲート開閉制御部５１、警報発報制御部５２、インタフェース部５３がそれぞれ接続されている。
【００４６】
図５は本発明のカード二重認証システムのＩＤ認証チェック・商品精算装置の構成図である。
本発明のカード二重認証システム１のＩＤ認証チェック・商品精算装置３は、図５に示すように、演算装置５５と、インタフェース制御部５６と、商品精算制御部５７と、ＩＤ認証チェック制御部５８と、ブラックリストチェック部５９と、クレジット照合制御部６０と、データベース制御部６１と、通信制御部６２と、異常通報制御部６３と、表示部６４と、電源装置６５を有している。
【００４７】
ＩＤ認証チェック・商品精算装置３の演算装置５５には、図５に示すように、インタフェース制御部５６、商品精算制御部５７、ＩＤ認証チェック制御部５８、ブラックリストチェック部５９、クレジット照合制御部６０、データベース制御部６１、通信制御部６２、異常通報制御部６３、表示部６４、電源装置６５がそれぞれ接続されている。
【００４８】
図６は本発明のカード二重認証システムの店舗の構内カード管理部署の構成図である。
本発明のカード二重認証システム１の店舗の構内カード管理部署４は、図６に示すように、制御部６６と、個人ＩＤ登録部６７と、カードＩＤ登録部６８と、通信制御部６９と、ブラックリスト登録部７０と、個人ＩＤデータベース２２と、カードＩＤデータベース２１と、ブラックリストデータベース２３と、電源装置７１を有している。
【００４９】
店舗の構内カード管理部署４の制御部６６には、図６に示すように、個人ＩＤ登録部６７、カードＩＤ登録部６８、通信制御部６９、ブラックリスト登録部７０、個人ＩＤデータベース２２、カードＩＤデータベース２１、ブラックリストデータベース２３、電源装置７１がそれぞれ接続されている。
【００５０】
図７は本発明のカード二重認証システムの商品ＩＤ付加装置の構成図である。本発明のカード二重認証システム１の商品ＩＤ付加装置５は、図７に示すように、商品ＩＤ付加制御部７２と、商品ＩＤ付加機構７３と、商品ＩＤ出力部７４と、通信制御部７５と、表示部７６と、商品ＩＤデータベース２６と、商品情報データベース２５と、商品情報読取部７７と、商品情報・商品ＩＤ登録データベース７８と、電源制御部７９を有している。
【００５１】
商品ＩＤ付加装置５の商品ＩＤ付加制御部７２には、図７に示すように、商品ＩＤ付加機構７３、商品ＩＤ出力部７４、通信制御部７５、表示部７６、商品ＩＤデータベース２６、商品情報データベース２５、商品情報読取部７７、商品情報・商品ＩＤ登録データベース７８、電源制御部７９がそれぞれ接続されている。
【００５２】
図８は本発明のカード二重認証システムのカード管理センタの構成図である。本発明のカード二重認証システム１のカード管理センタ６は、図８に示すように、制御部８０と、通信制御部８１と、利用者Ｐの個人ＩＤ１０と各クレジット会社７のクレジットカードＣＣのカードＩＤ９との突き合わせ制御部８２と、各種データベース作成部８３と、個人ＩＤデータベース２８と、各クレジット会社管理データベース２９と、ブラックリストデータベース３０と、電源装置８４を有している。
【００５３】
カード管理センタ６の制御部８０には、図８に示すように、通信制御部８１、利用者Ｐの個人ＩＤ１０と各クレジット会社７のクレジットカードＣＣのカードＩＤ９との突き合わせ制御部８２、各種データベース作成部８３、個人ＩＤデータベース２８、各クレジット会社管理データベース２９、ブラックリストデータベース３０、電源装置８４がそれぞれ接続されている。
【００５４】
図９は本発明のカード二重認証システムにおける利用者の個人ＩＤ発行時の処理フロー図である。
ステップＳ１００でスタートした処理は、利用者Ｐの個人ＩＤ発行時に、まず、ステップＳ１０１で利用者Ｐと店舗との利用契約を結び、次いで、ステップＳ１０２で利用者Ｐの個人ＩＤ１０を店舗の構内カード管理部署４の個人ＩＤデータベース２２に登録する。
【００５５】
図１０は本発明のカード二重認証システムにおける商品情報と商品ＩＤの登録時の処理フロー図である。
ステップＳ２００でスタートした処理は、商品Ａの商品情報と商品Ａの商品ＩＤ１２の登録時に、まず、ステップＳ２０１で商品Ａの商品情報と商品Ａに付加した商品ＩＤ１２を商品ＩＤ付加装置５の商品情報データベース２５と商品ＩＤデータベース２６に登録し、次いで、ステップＳ２０２で商品ＩＤ１２が商品Ａに貼り付け済みであるか否かを判断する。
【００５６】
ステップＳ２０２において、商品ＩＤ１２が商品Ａに貼り付け済みでない場合は、ステップＳ２０３に移行し、ステップＳ２０３で商品ＩＤ付加装置５が商品ＩＤ１２を商品Ａに貼り付ける。
【００５７】
図１１は本発明のカード二重認証システムにおける利用者による商品購入時の処理フロー図である。
ステップＳ３００でスタートした処理は、利用者Ｐによる商品購入時に、まず、ステップＳ３０１で利用者Ｐが購入する商品ＡとクレジットカードＣＣと利用者Ｐの個人ＩＤを商品精算ゲート装置２に持参し、商品精算ゲート装置２を通過することにより、商品精算ゲート装置２が利用者Ｐの使用するクレジットカードＣＣのカードＩＤ９と利用者Ｐの個人ＩＤ１０と商品Ａに付加した商品ＩＤ１２を読取り、次いで、ステップＳ３０２でクレジットカードＣＣのカードＩＤ９と利用者Ｐの個人ＩＤ１０との認証を実施し、個人認証用装置１１がクレジットカードＣＣのカードＩＤ９による本人認証の他に利用者Ｐの個人ＩＤ１０による本人認証を行い、次いで、ステップＳ３０３でクレジットカードＣＣが本人使用であるか否かを判断する。
【００５８】
ステップＳ３０３において、クレジットカードＣＣが本人使用である場合は、ステップＳ３０４で商品精算ゲート装置２が購入する商品Ａの商品情報と商品Ａに付加した商品ＩＤ１２を読取って精算を行い、次いで、ステップＳ３０５で利用者Ｐからの領収書発行要求があるか否かを判断し、ステップＳ３０５において、利用者Ｐからの領収書発行要求がある場合は、ステップＳ３０６で領収書／レシート発行装置１５が領収書を発行する。
【００５９】
ステップＳ３０５において、利用者Ｐからの領収書発行要求がない場合は、ステップＳ３０７で領収書／レシート発行装置１５が売上げレシート９５を発行する。
【００６０】
ステップＳ３０３において、クレジットカードＣＣが本人使用でない場合は、ステップＳ３０８で商品精算ゲート装置２のゲート１４を閉じて警報を鳴らす。
【００６１】
図１２は本発明のカード二重認証システムにおける利用者による商品購入時のクレジットカードのカードＩＤと利用者の個人ＩＤの認証処理の処理フロー図である。
ステップＳ４００でスタートした処理は、利用者Ｐによる商品購入時のクレジットカードＣＣのカードＩＤ９と利用者Ｐの個人ＩＤ１０の認証処理に、まず、ステップＳ４０１で商品精算ゲート装置２がクレジットカードＣＣのカードＩＤ９と利用者Ｐの個人ＩＤ１０を読取り、次いで、ステップＳ４０２で商品精算ゲート装置２が読取ったクレジットカードＣＣのカードＩＤ９を通信回線８を介してクレジット会社７に送信し、クレジットカードＣＣのカードＩＤ９の認証結果を受取り、次いで、ステップＳ４０３でクレジットカードＣＣのカードＩＤ９の認証がＯＫであるか否かを判断する。
【００６２】
ステップＳ４０３において、クレジットカードＣＣのカードＩＤ９の認証がＯＫである場合は、ステップＳ４０４に移行し、ステップＳ４０４で商品精算ゲート装置２が読取った利用者Ｐの個人ＩＤ１０を通信回線８を介してカード管理センタ６に送信し、利用者Ｐの個人ＩＤ１０の認証結果を受取り、次いで、ステップＳ４０５で利用者Ｐの個人ＩＤ１０の認証がＯＫであるか否かを判断する。
【００６３】
ステップＳ４０５において、利用者Ｐの個人ＩＤ１０の認証がＯＫである場合は、ステップＳ４０６でクレジットカードＣＣのカードＩＤ９と利用者Ｐの個人ＩＤ１０の認証のＯＫを返す。
【００６４】
ステップＳ４０３において、クレジットカードＣＣのカードＩＤ９の認証がＯＫでない場合は、ステップＳ４０７に移行し、クレジットカードＣＣのカードＩＤ９と利用者Ｐの個人ＩＤ１０の認証のＮＧを返す。
【００６５】
ステップＳ４０５において、利用者Ｐの個人ＩＤ１０の認証がＯＫでない場合は、ステップＳ４０７に移行し、クレジットカードＣＣのカードＩＤ９と利用者Ｐの個人ＩＤ１０の認証のＮＧを返す。
【００６６】
図１３は本発明のカード二重認証システムにおけるカード管理センタへのブラックリスト登録処理時の処理フロー図である。
ステップＳ５００でスタートした処理は、カード管理センタ６へのブラックリスト登録処理時に、まず、ステップＳ５０１で店舗の構内カード管理部署４とカード管理センタ６とクレジット会社７とのブラックリストデータの送信の契約を結び、次いで、ステップＳ５０２でクレジット会社７の保有するブラックリストをカード管理センタ６のブラックリストデータベース３０に登録し、次いで、ステップＳ５０３でカード管理センタ６から通信回線８を介して店舗の構内カード管理部署４にブラックリストデータを定期的に送信する。
【００６７】
図１４は本発明のカード二重認証システムにおける利用者による商品購入時のクレジットカードのカードＩＤのブラックリスト照合処理の処理フロー図である。
ステップＳ６００でスタートした処理は、利用者Ｐによる商品購入時のクレジットカードＣＣのカードＩＤ９のブラックリスト照合処理に、まず、ステップＳ６０１で商品精算ゲート装置２がクレジットカードＣＣのカードＩＤ９と利用者Ｐの個人ＩＤ１０を読取り、次いで、ステップＳ６０２で商品精算ゲート装置２が読取ったクレジットカードＣＣのカードＩＤ９とＩＤ認証チェック・商品精算装置３のブラックリストデータベース１９に登録したブラックリストデータを照合し、次いで、ステップＳ６０３でクレジットカードＣＣのカードＩＤ９がＩＤ認証チェック・商品精算装置３のブラックリストデータベース１９のブラックリストデータに含まれているか否かを判断する。
【００６８】
ステップＳ６０３において、クレジットカードＣＣのカードＩＤ９がＩＤ認証チェック・商品精算装置３のブラックリストデータベース１９のブラックリストデータに含まれている場合は、ステップＳ６０４で商品精算ゲート装置２のゲート１４を閉じて警報を鳴らす。
【００６９】
【発明の効果】
以上に述べたように、本発明のカード二重認証システムによれば、商品精算ゲート装置がクレジットカードのカードＩＤに対してカードＩＤ送出要求を送信すると共に、利用者の個人ＩＤに対して個人ＩＤ送出要求を送信し、クレジットカードのカードＩＤが商品精算ゲート装置からのカードＩＤ送出要求に応答してカードＩＤを商品精算ゲート装置に返送し、利用者の個人ＩＤが商品精算ゲート装置からの個人ＩＤ送出要求に応答して個人ＩＤを商品精算ゲート装置に返送するので、商品精算ゲート装置が利用者のカードＩＤと個人ＩＤとを取得することができ、商品購入時に個人認証用装置が利用者の使用するクレジットカードのカードＩＤによる本人認証の他に利用者の個人ＩＤによる本人認証を行うので、クレジットカードをカードＩＤと個人ＩＤにより二重に認証し、クレジットカードの不正使用を確実に防止することができ、商品精算ゲート装置での商品の精算が早くなり、商品精算ゲート装置の無人化を図ることができ、店舗の人件費を削減し、商品原価が安くなるので、利用者が商品を安価な価格で購入することができ、利用者がクレジットカードを紛失しても、面倒な手続きをしなくて済むので、クレジットカードを安心して使用することができ、利用者の個人ＩＤとクレジットカードのカードＩＤの管理に関する業務を代行するサービスを提供し、安価なコストで利用者の個人ＩＤとクレジットカードのカードＩＤの管理を行うことができる。
【００７０】
本発明のカード二重認証システムによれば、利用者が店舗を利用する場合に、利用者の使用するクレジットカードのカードＩＤと利用者の個人ＩＤを店舗の構内カード管理部署及びカード管理センタの顧客データベースに登録することができる。
【００７１】
本発明のカード二重認証システムによれば、商品ＩＤ付加装置が商品に商品ＩＤを付加し、店舗側では商品情報と商品の商品ＩＤを商品ＩＤ付加装置のデータベースに登録することができる。
【００７２】
本発明のカード二重認証システムによれば、利用者による商品購入時に利用者の使用するクレジットカードのカードＩＤと利用者の個人ＩＤと商品に付加した商品ＩＤを商品精算ゲート装置で読取り、ＩＤ認証チェック・商品精算装置に送信することができる。
【００７３】
本発明のカード二重認証システムによれば、ＩＤ認証チェック・商品精算装置がクレジットカードのカードＩＤと利用者の個人ＩＤを受信すると、クレジットカードの本人使用であることを認証することができる。
【００７４】
本発明のカード二重認証システムによれば、ＩＤ認証チェック・商品精算装置がクレジットカードの本人使用であることを認証した後、受信した商品ＩＤに対応する商品情報をデータベースから読取って精算することができる。
【００７５】
本発明のカード二重認証システムによれば、クレジットカードの本人使用でないことを認証した後、商品精算ゲート装置のゲートを閉じて警報を発することができる。
【００７６】
本発明のカード二重認証システムによれば、利用者からの領収書発行要求がある場合に、領収書を発行することができ、利用者からの領収書発行要求がない場合に、売上げレシートを発行することができる。
【００７７】
本発明のカード二重認証システムによれば、店舗の構内カード管理部署とカード管理センタとクレジット会社とのブラックリストデータの送受信の契約を結び、カード管理センタがクレジット会社から通信回線を介してブラックリストデータを受信すると共に、カード管理センタから通信回線を介して店舗の構内カード管理部署及び必要に応じてＩＤ認証チェック・商品精算装置にブラックリストデータを送信することができる。
【００７８】
本発明のカード二重認証システムによれば、利用者による商品購入時に、商品精算ゲート装置が読取ったクレジットカードのカードＩＤとＩＤ認証チェック・商品精算装置のブラックリストデータを照合することができる。
【００７９】
本発明のカード二重認証システムによれば、商品精算ゲート装置が読取ったクレジットカードのカードＩＤとＩＤ認証チェック・商品精算装置または店舗の構内カード管理部署のブラックリストデータとの照合が一致した場合に、クレジットカード不正使用による異常通報を出すことができる。
【００８０】
本発明のカード二重認証システムによれば、利用者による商品購入時に、商品精算ゲート装置がクレジットカードのカードＩＤと利用者の個人ＩＤを読取り、クレジットカードのカードＩＤを通信回線を介してクレジット会社に送信するので、クレジットカードのカードＩＤの認証結果を受取ることができる。
【図面の簡単な説明】
【図１】本発明の実施の形態におけるカード二重認証システムを示す構成図。
【図２】本発明のカード二重認証システムの個人認証用装置の構成図。
【図３】本発明のカード二重認証システムの商品認証用装置の構成図。
【図４】本発明のカード二重認証システムの商品精算ゲート装置の構成図。
【図５】本発明のカード二重認証システムのＩＤ認証チェック・商品精算装置の構成図。
【図６】本発明のカード二重認証システムの店舗の構内カード管理部署の構成図。
【図７】本発明のカード二重認証システムの商品ＩＤ付加装置の構成図。
【図８】本発明のカード二重認証システムのカード管理センタの構成図。
【図９】本発明のカード二重認証システムにおける利用者の個人ＩＤ発行時の処理フローチャート図。
【図１０】本発明のカード二重認証システムにおける商品情報と商品ＩＤの登録時の処理フローチャート図。
【図１１】本発明のカード二重認証システムにおける利用者による商品購入時の処理フローチャート図。
【図１２】本発明のカード二重認証システムにおける利用者による商品購入時のクレジットカードのカードＩＤと利用者の個人ＩＤの認証処理の処理フローチャート図。
【図１３】本発明のカード二重認証システムにおけるカード管理センタへのブラックリスト登録処理時の処理フローチャート図。
【図１４】本発明のカード二重認証システムにおける利用者による商品購入時のクレジットカードのカードＩＤのブラックリスト照合処理の処理フローチャート図。
【符号の説明】
１  カード二重認証システム
２  商品精算ゲート装置
３  ＩＤ認証チェック・商品精算装置
４  店舗の構内カード管理部署
５  商品ＩＤ付加装置
６  カード管理センタ
７  クレジット会社
８  通信回線
９  カードＩＤ
１０  個人ＩＤ
１１  個人認証用装置
１２  商品ＩＤ
１３  商品認証用装置
１４  ゲート
１５  領収書／レシート発行装置
１６  領収書／レシート発行ボタン
１７  パソコン
１８  データベース
１９  ブラックリストデータベース
２０  パソコン
２１  カードＩＤデータベース
２２  個人ＩＤデータベース
２３  ブラックリストデータベース
２４  パソコン
２５  商品情報データベース
２６  商品ＩＤデータベース
２７  パソコン
２８  個人ＩＤデータベース
２９  各クレジット会社管理データベース
３０  ブラックリストデータベース
３１  パソコン
３２  ブラックリストデータベース
３３  カードＩＤ認証用装置
３４  カードＩＤ送出要求受信部
３５  カードＩＤ送信部
３６  個人ＩＤ認証用装置
３７  個人ＩＤ送出要求受信部
３８  個人ＩＤ送信部
３９  商品ＩＤ認証用装置
４０  商品ＩＤ送出要求受信部
４１  商品ＩＤ送信部
４２  個人ＩＤ送出要求送信部
４３  個人ＩＤ受信部
４４  カードＩＤ送出要求送信部
４５  カードＩＤ受信部
４６  商品ＩＤ送出要求送信部
４７  商品ＩＤ受信部
４８  表示部
４９  商品精算制御部
５０  レシート／領収書発行部
５１  ゲート開閉制御部
５２  警報発報制御部
５３  インタフェース部
５４  電源制御部
５５  演算装置
５６  インタフェース制御部
５７  商品精算制御部
５８  ＩＤ認証チェック制御部
５９  ブラックリストチェック部
６０  クレジット照合制御部
６１  データベース制御部
６２  通信制御部
６３  異常通報制御部
６４  表示部
６５  電源装置
６６  制御部
６７  個人ＩＤ登録部
６８  カードＩＤ登録部
６９  通信制御部
７０  ブラックリスト登録部
７１  電源装置
７２  商品ＩＤ付加制御部
７３  商品ＩＤ付加機構
７４  商品ＩＤ出力部
７５  通信制御部
７６  表示部
７７  商品情報読取部
７８  商品情報・商品ＩＤ登録データベース
７９  電源制御部
８０  制御部
８１  通信制御部
８２  突き合わせ制御部
８３  各種データベース作成部
８４  電源装置
９０  商品棚
９５  レシート
Ａ  商品
Ｐ  利用者
ＣＣ  クレジットカード
【図１】
0003560575.tif 000002
【図２】
0003560575.tif 000003
【図３】
0003560575.tif 000004
【図４】
0003560575.tif 000005
【図５】
0003560575.tif 000006
【図６】
0003560575.tif 000007
【図７】
0003560575.tif 000008
【図８】
0003560575.tif 000009
【図９】
0003560575.tif 000010
【図１０】
0003560575.tif 000011
【図１１】
0003560575.tif 000012
【図１２】
0003560575.tif 000013
【図１３】
0003560575.tif 000014
【図１４】
0003560575.tif 000015